(57)【要約】      （修正有）【課題】より便利な浴槽湯口アダプタを提供すること。【解決手段】取付面に対し取り付けられる本体と、本体に接続された第１継手と、本体から第１継手にわたって第１湯路が形成され、本体には、本体における第１湯路を構成する第１本体開口部が形成され、第１本体開口部は、第１継手における第１湯路につながっており、第１継手には、第１継手における第１湯路の互いに反対側に位置する第１継手開口部および第２継手開口部が形成され、第１継手開口部および第２継手開口部は、第１継手における第１湯路を構成し、第１継手開口部は、本体１における第１湯路につながっており、第１本体開口部の開口方向および第１継手開口部の開口方向はいずれも、側面視において取付面に対し傾斜しており、第２継手開口部の開口方向は、第１本体開口部の開口方向に対して傾斜している。【選択図】図２
2018185095.tif 000002
【特許請求の範囲】
【請求項１】
取付面に対し取り付けられる湯口装置の本体と、
前記本体に接続された第１継手と、を備え、
前記本体および前記第１継手にわたって第１湯路が形成され、
前記本体には、前記本体における前記第１湯路を構成する第１本体開口部が形成され、前記第１本体開口部は、前記第１継手における前記第１湯路につながっており、
前記第１継手には、前記第１継手における前記第１湯路の互いに反対側に位置する第１継手開口部および第２継手開口部が形成され、前記第１継手開口部および第２継手開口部は、前記第１継手における前記第１湯路を構成し、前記第１継手開口部は、前記本体における前記第１湯路につながっており、
前記第１本体開口部の開口方向および前記第１継手開口部の開口方向はいずれも、側面視において前記取付面に対し傾斜しており、
前記第２継手開口部の開口方向は、前記第１本体開口部の開口方向に対して傾斜しており、
前記第１継手は、第１状態および第２状態をとり、前記第１状態および前記第２状態では、側面視における、前記第２継手開口部の開口方向と前記取付面とのなす角度が互いに異なる、浴槽湯口アダプタ。
【請求項２】
前記第１本体開口部の開口方向は、側面視において、前記取付面に対し３５度〜５５度傾斜しており、
前記第２継手開口部の開口方向は、前記第１本体開口部の開口方向に対し３５度〜５５度傾斜している、請求項１に記載の浴槽湯口アダプタ。
【請求項３】
前記本体に接続された第２継手を更に備え、
前記本体および前記第２継手にわたって第２湯路が形成され、
前記本体には、前記本体における前記第２湯路を構成する第２本体開口部が形成され、前記第２本体開口部は、前記第２継手における前記第２湯路につながっており、
前記第２継手には、前記第２継手における前記第２湯路の互いに反対側に位置する第３継手開口部および第４継手開口部が形成され、前記第３継手開口部および第４継手開口部は、前記第２継手における前記第２湯路を構成し、前記第３継手開口部は、前記本体における前記第２湯路につながっており、
前記第２本体開口部の開口方向および前記第３継手開口部の開口方向はいずれも、側面視において前記取付面に対し傾斜しており、
前記第４継手開口部の開口方向は、前記第２本体開口部の開口方向に対して傾斜しており、
前記第２継手は、第３状態および第４状態をとり、前記第３状態および前記第４状態では、側面視における、前記第４継手開口部の開口方向と前記取付面とのなす角度が互いに異なる、請求項１または請求項２に記載の浴槽湯口アダプタ。
【請求項４】
前記第２本体開口部の開口方向は、側面視において、前記取付面に対し３５度〜５５度傾斜しており、
前記第４継手開口部の開口方向は、前記第２本体開口部の開口方向に対し３５度〜５５度傾斜している、請求項３に記載の浴槽湯口アダプタ。
【請求項５】
前記第１本体開口部の開口方向および前記第２本体開口部の開口方向は、前記第１継手および前記第２継手の離間する方向に対し交差している、請求項３または請求項４に記載の浴槽湯口アダプタ。
【請求項６】
前記第１継手は、前記取付面に対し交差する第１軸周りに回動可能であり、前記第２継手は、前記取付面に対し交差する第２軸周りに回動可能である、請求項３ないし請求項５のいずれかに記載の浴槽湯口アダプタ。
【請求項７】
前記第１継手および前記第２継手は、一体物である、請求項３ないし請求項５のいずれかに記載の浴槽湯口アダプタ。
【発明の詳細な説明】
【技術分野】
【０００１】
本開示は、浴槽湯口アダプタに関する。
【背景技術】
【０００２】
浴槽の給湯システムの１つとして、浴槽外に設けられた給湯器で沸かした湯を浴槽内に送り、浴槽内の湯を吸い込んで給湯器に送り、給湯器で当該湯を沸かし浴槽内に送る方法が知られている。このような方法において浴槽湯口アダプタが用いられる。浴槽湯口アダプタは、浴槽の側壁に取り付けられる。浴槽湯口アダプタには、給湯器からの湯を送るための湯管（給湯管）と、給湯器へ湯を送るための湯管（戻湯管）と、が接続される。このような浴槽湯口アダプタに関する技術は、たとえば、特許文献１に開示されている。
【先行技術文献】
【特許文献】
【０００３】
【特許文献１】特開２００４−２４５４３７号公報
【発明の概要】
【発明が解決しようとする課題】
【０００４】
本開示は、上記した事情のもとで考え出されたものであって、より便利な浴槽湯口アダプタを提供することをその主たる課題とする。
【課題を解決するための手段】
【０００５】
本開示の一側面によると、取付面に対し取り付けられる湯口装置の本体と、前記本体に接続された第１継手と、を備え、前記本体および前記第１継手にわたって第１湯路が形成され、前記本体には、前記本体における前記第１湯路を構成する第１本体開口部が形成され、前記第１本体開口部は、前記第１継手における前記第１湯路につながっており、前記第１継手には、前記第１継手における前記第１湯路の互いに反対側に位置する第１継手開口部および第２継手開口部が形成され、前記第１継手開口部および第２継手開口部は、前記第１継手における前記第１湯路を構成し、前記第１継手開口部は、前記本体における前記第１湯路につながっており、前記第１本体開口部の開口方向および前記第１継手開口部の開口方向はいずれも、側面視において前記取付面に対し傾斜しており、前記第２継手開口部の開口方向は、前記第１本体開口部の開口方向に対して傾斜しており、前記第１継手は、第１状態および第２状態をとり、前記第１状態および前記第２状態では、側面視における、前記第２継手開口部の開口方向と前記取付面とのなす角度が互いに異なる、浴槽湯口アダプタが提供される。
【０００６】
本開示のその他の特徴および利点は、添付図面を参照して以下に行う詳細な説明によって、より明らかとなろう。
【図面の簡単な説明】
【０００７】
【図１】第１実施形態にかかる浴槽湯口アダプタの斜視図である。
【図２】図１のＩＩ−ＩＩ線に沿った断面図である。
【図３】図１のＩＩＩ−ＩＩＩ線に沿った断面図である。
【図４】第１実施形態にかかる浴槽湯口アダプタの斜視図である。
【発明を実施するための形態】
【０００８】
＜第１実施形態＞
図１〜図４を用いて、本開示の第１実施形態について説明する。
【０００９】
図１は、第１実施形態にかかる浴槽湯口アダプタの斜視図である。図２は、図１のＩＩ−ＩＩ線に沿った断面図である。図３は、図１のＩＩＩ−ＩＩＩ線に沿った断面図である。
【００１０】
これらの図に示す浴槽湯口アダプタＡ１は、取付面Ｐ１に取り付けられるものである。取付面Ｐ１は、たとえば、浴槽の側壁の外側面である。浴槽湯口アダプタＡ１は、循環風呂湯口装置の一部である。このような循環風呂湯口装置は、浴槽湯を浴槽と給湯器との間で循環させる際に使用される。
【００１１】
図１〜図３に示すように、浴槽湯口アダプタＡ１は、本体１と、第１継手３Ａと、第２継手３Ｂと、を備える。本実施形態では、本体１、第１継手３Ａ、および第２継手３Ｂはそれぞれ一体成型されており、たとえば、樹脂あるいは金属よりなる。
【００１２】
図２に示すように、本体１から第１継手３Ａにわたって第１湯路ＰＡが形成されている。図３に示すように、本体１から第２継手３Ｂにわたって第２湯路ＰＢが形成されている。たとえば、第１湯路ＰＡは、浴槽からの湯が流れる流路であり、第２湯路ＰＢは、浴槽への湯が流れる流路である。あるいは、その逆であってもよく、第１湯路ＰＡは、浴槽への湯が流れる流路であり、第２湯路ＰＢは、浴槽からの湯が流れる流路であってもよい。
【００１３】
本体１は、取付面Ｐ１に対し取り付けられる。本体１には、第１本体開口部１７Ａ（図２参照）と、第２本体開口部１７Ｂ（図３参照）とが形成されている。
【００１４】
図２に示す第１本体開口部１７Ａは、本体１における第１湯路ＰＡを構成している。第１本体開口部１７Ａは、第１継手３Ａ側に位置している。第１本体開口部１７Ａは、第１継手３Ａにおける第１湯路ＰＡにつながっている。図３に示す第２本体開口部１７Ｂは、本体１における第２湯路ＰＢを構成している。第２本体開口部１７Ｂは、第２継手３Ｂ側に位置している。第２本体開口部１７Ｂは、第２継手３Ｂにおける第２湯路ＰＢにつながっている。
【００１５】
図１〜図３に示すように、第１本体開口部１７Ａの開口方向ＸＡ１および第２本体開口部１７Ｂの開口方向ＸＢ１は各々、側面視において取付面Ｐ１に対し傾斜している。好ましくは、第１本体開口部１７Ａの開口方向ＸＡ１および第２本体開口部１７Ｂの開口方向ＸＢ１は各々、側面視において、取付面Ｐ１に対し３５度〜５５度傾斜している。図２、図３には、第１本体開口部１７Ａの開口方向ＸＡ１および第２本体開口部１７Ｂの開口方向ＸＢ１が各々、側面視において、取付面Ｐ１に対し４５度傾斜している例を示しているが、取付面Ｐ１に対する開口方向ＸＡ１や開口方向ＸＢ１の傾斜角度はこれに限定されず、たとえば、４０度や、５０度であってもよい。図１に示すように、第１本体開口部１７Ａの開口方向ＸＡ１および第２本体開口部１７Ｂの開口方向ＸＢ１は各々、第１継手３Ａおよび第２継手３Ｂの離間する方向Ｚ１に対し交差している。好ましくは、開口方向ＸＡ１と方向Ｚ１とのなす角度、および、開口方向ＸＢ１と方向Ｚ１とのなす角度は各々、７０度〜９０度である。図１には、開口方向ＸＡ１と方向Ｚ１とのなす角度および開口方向ＸＢ１と方向Ｚ１とのなす角度が各々、９０度である例を示しているが、開口方向ＸＡ１や開口方向ＸＢ１が方向Ｚ１となす角度はこれに限定されず、たとえば、７０度や８０度であってもよい。
【００１６】
図１に示すように、本体１は、第１部位１１と、第２部位１３と、を含む。
【００１７】
本実施形態では、第１部位１１は、円筒状の外面を有する。なお、図３では、本来は、第１部位１１の断面が表れるはずであるが、同図では、第１部位１１の外周面を表している。図２に示すように、第１部位１１は、内周面１１１および筒状部１１３を含む。内周面１１１には雌ねじ部１１２が形成されている。雌ねじ部１１２には、浴槽の内部から取り付けられる雄ねじ筒（図示略）における雄ねじ部が螺合する。これにより、浴槽湯口アダプタＡ１は浴槽の側壁を挟んで浴槽湯口仕切板（図示略）に固定される。浴槽湯口仕切板には、給湯口および戻湯口が形成されている。浴槽湯口仕切板は、金網ストレーナ（図示略）に覆われていてもよい。このような金網ストレーナは、湯垢等の加熱釜への侵入を防止する。
【００１８】
筒状部１１３は、図２の左右方向に沿って延びる筒状の部位である。筒状部１１３は、第１部位１１内における空間を、第１湯路ＰＡおよび第２湯路ＰＢに区画する。筒状部１１３と内周面１１１とに挟まれた空間が、第１湯路ＰＡおよび第２湯路ＰＢのいずれか一方を構成し、筒状部１１３内の空間が、第１湯路ＰＡおよび第２湯路ＰＢの他方を構成する。本実施形態においては、筒状部１１３と内周面１１１とに挟まれた空間が第２湯路ＰＢを構成し、筒状部１１３内の空間が第１湯路ＰＡを構成する。本実施形態とは逆に、筒状部１１３と内周面１１１とに挟まれた空間が第１湯路ＰＡを構成し、筒状部１１３内の空間が第２湯路ＰＢを構成してもよい。
【００１９】
図１に示すように、第２部位１３は、第１部位１１につながっている。第２部位１３は、基端部１３１と、第１筒状部１３３Ａと、第２筒状部１３３Ｂと、フランジ１３５Ａ，１３５Ｂを含む。基端部１３１は、第１部位１１につながっている。基端部１３１は、取付面Ｐ１に対して傾斜する方向（本実施形態では、取付面Ｐ１に対し４５度をなす方向）に、第１部位１１から延びている。本実施形態では、方向Ｚ１における基端部１３１の中心位置は、第１部位１１を構成する円筒形状の中心軸からずれた位置に位置している。本実施形態とは異なり、方向Ｚ１における基端部１３１の中心位置が、第１部位１１を構成する円筒形状の中心軸に一致していてもよい。図２、図３に示すように、基端部１３１には、第１湯路ＰＡおよび第２湯路ＰＢが形成されている。
【００２０】
図１、図２に示す第１筒状部１３３Ａは、筒状を呈する。第１筒状部１３３Ａは、基端部１３１につながっている。第１筒状部１３３Ａは、取付面Ｐ１に対して傾斜する方向（本実施形態では、取付面Ｐ１に対し４５度をなす方向）に、基端部１３１から延びている。図２に示すように、第１筒状部１３３Ａには第１湯路ＰＡが形成されている。第１筒状部１３３Ａは、上述の第１本体開口部１７Ａを構成している。フランジ１３５Ａは、第１筒状部１３３Ａの先端に設けられている。
【００２１】
図１、図３に示す第２筒状部１３３Ｂは、筒状を呈する。第２筒状部１３３Ｂは、基端部１３１につながっている。第２筒状部１３３Ｂは、取付面Ｐ１に対して傾斜する方向（本実施形態では、取付面Ｐ１に対し４５度をなす方向）に、基端部１３１から延びている。図３に示すように、第２筒状部１３３Ｂには第２湯路ＰＢが形成されている。第２筒状部１３３Ｂは、上述の第２本体開口部１７Ｂを構成している。フランジ１３５Ｂは、第２筒状部１３３Ｂの先端に設けられている。
【００２２】
図１、図２に示すように、第１継手３Ａは、本体１に接続されている。第１継手３Ａは、本体１に対しファスナー（たとえばクイックファスナー、図示略）によって、接続されているとよい。当該ファスナーは、第２継手３Ｂを本体１に対し接続していてもよい。図２に示すように、第１継手３Ａには、第１継手開口部３５Ａおよび第２継手開口部３６Ａが形成されている。第１継手開口部３５Ａおよび第２継手開口部３６Ａは、第１継手３Ａにおける第１湯路ＰＡの互いに反対側に位置する。第１継手開口部３５Ａおよび第２継手開口部３６Ａは、第１継手３Ａにおける第１湯路ＰＡを構成する。第１継手開口部３５Ａは、本体１における第１湯路ＰＡにつながっている。
【００２３】
図２に示すように、第１継手開口部３５Ａの開口方向Ｙ１は、側面視において取付面Ｐ１に対し傾斜している。本実施形態では、開口方向Ｙ１は、第１本体開口部１７Ａの開口方向ＸＡ１の逆方向である。第２継手開口部３６Ａの開口方向Ｙ２は、第１本体開口部１７Ａの開口方向ＸＡ１に対して傾斜している。好ましくは、第２継手開口部３６Ａの開口方向Ｙ２は、第１本体開口部１７Ａの開口方向ＸＡ１に対し３５度〜５５度傾斜している。図２では、開口方向Ｙ２が開口方向ＸＡ１に４５度傾斜している例を示しているが、開口方向ＸＡ１に対する開口方向Ｙ２の傾斜角度はこれに限定されず、たとえば、４０度や５０度であってもよい。
【００２４】
第１継手３Ａは、第１状態（図１、図２参照）および第２状態（図４参照）をとりうる。第１状態および第２状態では、側面視における、第２継手開口部３６Ａの開口方向Ｙ２と取付面Ｐ１とのなす角度が互いに異なる。たとえば、第１状態（図１、図２参照）では、開口方向Ｙ２と取付面Ｐ１とのなす角度は、０度であり、第２状態（図４参照）では、開口方向Ｙ２と取付面Ｐ１とのなす角度は、９０度である。本実施形態では、第１継手３Ａは、取付面Ｐ１に対し交差する第１軸ＯＡ周りに回動可能である。そして、第１継手３Ａは第１軸ＯＡ周りに回動することにより、第１状態から第２状態へと、あるいは、第２状態から第１状態へと移行できる。本実施形態とは異なり、第１継手３Ａは回動可能なものでなくてもよい。
【００２５】
図２に示すように、第１継手３Ａは、筒状部３１Ａと、筒状部３２Ａと、曲部３３Ａと、フランジ３４Ａと、を含む。筒状部３１Ａと、筒状部３２Ａと、曲部３３Ａとは、第１湯路ＰＡを構成している。
【００２６】
筒状部３１Ａは、本体１における第１筒状部１３３Ａに接続される。筒状部３１Ａと第１筒状部１３３Ａとの間には、１または複数の止水部材５（たとえばＯリング）が配置される。筒状部３１Ａには、フランジ３４Ａが設けられている。フランジ３４Ａは、本体１におけるフランジ１３５Ａに当接する。
【００２７】
筒状部３２Ａは、第１継手３Ａにおいて筒状部３１Ａとは反対側に位置する。筒状部３２Ａには湯管８１Ａ（給湯管あるいは戻湯管）が接続される。図２に示す例では、筒状部３２Ａの外面には、雄ねじ部が形成されている。本実施形態とは異なり、ねじ部ではない、少なくとも１つの凸条部が筒状部３２Ａの外面に形成されていてもよい。あるいは、本実施形態とは異なり、筒状部３２Ａにワンタッチ式の接続部が形成されていてもよい。曲部３３Ａは、筒状部３１Ａおよび筒状部３２Ａにつながっている。曲部３３Ａは、屈曲あるいは湾曲しているとよい。
【００２８】
図１、図３に示すように、第２継手３Ｂは、本体１に接続されている。第２継手３Ｂは、本体１に対しファスナー（たとえばクイックファスナー、図示略）によって接続されているとよい。第２継手３Ｂは、第１継手３Ａと別体であるが、本実施形態とは異なり、第２継手３Ｂおよび第１継手３Ａが一体物であってもよい。図３に示すように、第２継手３Ｂには、第３継手開口部３５Ｂおよび第４継手開口部３６Ｂが形成されている。第３継手開口部３５Ｂおよび第４継手開口部３６Ｂは、第２継手３Ｂにおける第２湯路ＰＢの互いに反対側に位置する。第３継手開口部３５Ｂおよび第４継手開口部３６Ｂは、第２継手３Ｂにおける第２湯路ＰＢを構成する。第３継手開口部３５Ｂは、本体１における第２湯路ＰＢにつながっている。
【００２９】
図３に示すように、第３継手開口部３５Ｂの開口方向Ｙ３は、側面視において取付面Ｐ１に対し傾斜している。本実施形態では、開口方向Ｙ３は、第２本体開口部１７Ｂの開口方向ＸＢ１の逆方向である。第４継手開口部３６Ｂの開口方向Ｙ４は、第２本体開口部１７Ｂの開口方向ＸＢ１に対して傾斜している。好ましくは、第４継手開口部３６Ｂの開口方向Ｙ４は、第２本体開口部１７Ｂの開口方向ＸＢ１に対し３５度〜５５度傾斜している。図３では、開口方向Ｙ４が開口方向ＸＢ１に４５度傾斜している例を示しているが、開口方向ＸＢ１に対する開口方向Ｙ４の傾斜角度はこれに限定されず、たとえば、４０度や５０度であってもよい。
【００３０】
第２継手３Ｂは、第３状態（図１、図３参照）および第４状態（図４参照）をとりうる。第３状態および第４状態では、側面視における、第４継手開口部３６Ｂの開口方向Ｙ４と取付面Ｐ１とのなす角度が互いに異なる。たとえば、第３状態（図１、図３参照）では、開口方向Ｙ４と取付面Ｐ１とのなす角度は、０度であり、第４状態（図４参照）では、開口方向Ｙ４と取付面Ｐ１とのなす角度は、９０度である。本実施形態では、第２継手３Ｂは、取付面Ｐ１に対し交差する第２軸ＯＢ周りに回動可能である。そして、第２継手３Ｂは第２軸ＯＢ周りに回動することにより、第３状態から第４状態へと、あるいは、第４状態から第３状態へと移行できる。本実施形態とは異なり、第２継手３Ｂは回動可能なものでなくてもよい。
【００３１】
図３に示すように、第２継手３Ｂは、筒状部３１Ｂと、筒状部３２Ｂと、曲部３３Ｂと、フランジ３４Ｂと、を含む。筒状部３１Ｂと、筒状部３２Ｂと、曲部３３Ｂとは、第２湯路ＰＢを構成している。
【００３２】
筒状部３１Ｂは、本体１における第２筒状部１３３Ｂに接続される。筒状部３１Ｂと第２筒状部１３３Ｂとの間には、１または複数の止水部材５（たとえばＯリング）が配置される。筒状部３１Ｂには、フランジ３４Ｂが設けられている。フランジ３４Ｂは、本体１におけるフランジ１３５Ｂに当接する。
【００３３】
筒状部３２Ｂは、第２継手３Ｂにおいて筒状部３１Ｂとは反対側に位置する。筒状部３２Ｂには湯管８２Ｂ（給湯管あるいは戻湯管）が接続される。図３に示す例では、筒状部３２Ｂの外面には、雄ねじ部が形成されている。本実施形態とは異なり、ねじ部ではない、少なくとも１つの凸条部が筒状部３２Ｂの外面に形成されていてもよい。あるいは、本実施形態とは異なり、筒状部３２Ｂにワンタッチ式の接続部が形成されていてもよい。曲部３３Ｂは、筒状部３１Ｂおよび筒状部３２Ｂにつながっている。曲部３３Ｂは、屈曲あるいは湾曲しているとよい。
【００３４】
次に、本実施形態の作用効果について説明する。
【００３５】
本実施形態においては、第１本体開口部１７Ａの開口方向ＸＡ１および第１継手開口部３５Ａの開口方向Ｙ１はいずれも、側面視において取付面Ｐ１に対し傾斜している。第２継手開口部３６Ａの開口方向Ｙ２は、第１本体開口部１７Ａの開口方向ＸＡ１に対して傾斜している。第１継手３Ａは、第１状態および第２状態をとり、第１状態および第２状態では、側面視における、第２継手開口部３６Ａの開口方向Ｙ２と取付面Ｐ１とのなす角度が互いに異なる。このような構成によると、複数種類の方向に向かって延びるように、湯管８１Ａが第１継手３Ａに接続されうる。たとえば、図１、図２では、下方に向かって延びるように、湯管が第１継手３Ａに接続され、図４では、横方向に向かって延びるように、湯管８１Ａが第１継手３Ａに接続されうる。図１、図２に示す状態は、たとえば、ユニットバスにおける浴槽用いると便利である。図４に示す状態は、たとえば、戸建ての浴槽に用いると便利である。したがって、本実施形態によると、より便利な（本実施形態においては、施工者にとって施工しやすい）浴槽湯口アダプタＡ１が提供される。
【００３６】
本実施形態においては、第２本体開口部１７Ｂの開口方向ＸＢ１および第３継手開口部３５Ｂの開口方向Ｙ３はいずれも、側面視において取付面Ｐ１に対し傾斜している。第４継手開口部３６Ｂの開口方向Ｙ４は、第２本体開口部１７Ｂの開口方向ＸＢ１に対して傾斜している。第２継手３Ｂは、第３状態および第４状態をとり、第３状態および第４状態では、側面視における、第４継手開口部３６Ｂの開口方向Ｙ４と取付面Ｐ１とのなす角度が互いに異なる。このような構成によっても、上述したのと同様の利点を奏する。
【００３７】
本実施形態においては、図１に示したように、第１本体開口部１７Ａの開口方向ＸＡ１および第２本体開口部１７Ｂの開口方向ＸＢ１は、第１継手３Ａおよび第２継手３Ｂの離間する方向に対し交差している。このような構成は、方向Ｚ１における浴槽湯口アダプタＡ１の小型化を図るのに適する。
【００３８】
本実施形態においては、第１継手３Ａは、取付面Ｐ１に対し交差する第１軸ＯＡ周りに回動可能であり、第２継手３Ｂは、取付面Ｐ１に対し交差する第２軸ＯＢ周りに回動可能である。このような構成によると、第１継手３Ａに接続される湯管８１Ａを、所望の方向に延ばすことができる。同様に、第２継手３Ｂに接続される湯管８１Ｂを所望の方向の延ばすことができる。このことは、浴槽湯口アダプタＡ１の使用者の利便性の向上に寄与しうる。
【００３９】
上述の実施形態では、浴槽湯口アダプタに第１湯路ＰＡおよび第２湯路ＰＢの２つの湯路が形成されている例を示したが、浴槽湯口アダプタには湯路が１つのみ形成されていてもよい。この場合、浴槽湯口アダプタは第２継手を備えていなくてもよい。
【００４０】
本開示は、上述した実施形態に限定されるものではない。本開示の各部の具体的な構成は、種々に設計変更自在である。
【符号の説明】
【００４１】
１  本体
１１  第１部位
１１１  内周面
１１２  雌ねじ部
１１３  筒状部
１３  第２部位
１３１  基端部
１３３Ａ  第１筒状部
１３３Ｂ  第２筒状部
１３５Ａ，１３５Ｂ  フランジ
１７Ａ  第１本体開口部
１７Ｂ  第２本体開口部
３１Ａ，３１Ｂ，３２Ａ，３２Ｂ  筒状部
３３Ａ，３３Ｂ  曲部
３４Ａ，３４Ｂ  フランジ
３５Ａ  第１継手開口部
３５Ｂ  第３継手開口部
３６Ａ  第２継手開口部
３６Ｂ  第４継手開口部
３Ａ  第１継手
３Ｂ  第２継手
５  止水部材
８１Ａ，８１Ｂ  湯筒
Ａ１  浴槽湯口アダプタ
ＯＡ  第１軸
ＯＢ  第２軸
Ｐ１  取付面
ＰＡ  第１湯路
ＰＢ  第２湯路
ＸＡ１，ＸＢ１，Ｙ１，Ｙ２，Ｙ３，Ｙ４，  開口方向
Ｚ１  方向
【図１】
2018185095.tif 000003
【図２】
2018185095.tif 000004
【図３】
2018185095.tif 000005
【図４】
2018185095.tif 000006
【手続補正書】
【提出日】平成30年8月2日(2018.8.2)
【手続補正１】
【補正対象書類名】特許請求の範囲
【補正対象項目名】全文
【補正方法】変更
【補正の内容】
【特許請求の範囲】
【請求項１】
取付面に対し取り付けられる湯口装置の本体と、
前記本体に接続された第１継手と、を備え、
前記本体および前記第１継手にわたって第１湯路が形成され、
前記本体には、前記本体における前記第１湯路を構成する第１本体開口部が形成され、前記第１本体開口部は、前記第１継手における前記第１湯路につながっており、
前記第１継手には、前記第１継手における前記第１湯路の互いに反対側に位置する第１継手開口部および第２継手開口部が形成され、前記第１継手開口部および第２継手開口部は、前記第１継手における前記第１湯路を構成し、前記第１継手開口部は、前記本体における前記第１湯路につながっており、
前記第１本体開口部の開口方向および前記第１継手開口部の開口方向はいずれも、側面視において前記取付面に対し傾斜しており、
前記第２継手開口部の開口方向は、前記第１本体開口部の開口方向に対して傾斜しており、
前記第１継手は、第１状態および第２状態をとり、前記第１状態および前記第２状態では、側面視における、前記第２継手開口部の開口方向と前記取付面とのなす角度が互いに異なり、
前記本体に接続された第２継手を更に備え、
前記本体および前記第２継手にわたって第２湯路が形成され、
前記本体には、前記本体における前記第２湯路を構成する第２本体開口部が形成され、前記第２本体開口部は、前記第２継手における前記第２湯路につながっており、
前記第２継手には、前記第２継手における前記第２湯路の互いに反対側に位置する第３継手開口部および第４継手開口部が形成され、前記第３継手開口部および第４継手開口部は、前記第２継手における前記第２湯路を構成し、前記第３継手開口部は、前記本体における前記第２湯路につながっており、
前記第２本体開口部の開口方向および前記第３継手開口部の開口方向はいずれも、側面視において前記取付面に対し傾斜しており、
前記第４継手開口部の開口方向は、前記第２本体開口部の開口方向に対して傾斜しており、
前記第２継手は、第３状態および第４状態をとり、前記第３状態および前記第４状態では、側面視における、前記第４継手開口部の開口方向と前記取付面とのなす角度が互いに異なり、
前記第１継手は、前記本体に接続した状態で、前記取付面に対し交差する第１軸周りに前記第２継手から独立して回動可能であり、前記第２継手は、前記本体に接続した状態で、前記取付面に対し交差する第２軸周りに前記第１継手から独立して回動可能である、浴槽湯口アダプタ。
【請求項２】
前記第１本体開口部の開口方向は、側面視において、前記取付面に対し３５度〜５５度傾斜しており、
前記第２継手開口部の開口方向は、前記第１本体開口部の開口方向に対し３５度〜５５度傾斜している、請求項１に記載の浴槽湯口アダプタ。
【請求項３】
前記第２本体開口部の開口方向は、側面視において、前記取付面に対し３５度〜５５度傾斜しており、
前記第４継手開口部の開口方向は、前記第２本体開口部の開口方向に対し３５度〜５５度傾斜している、請求項１に記載の浴槽湯口アダプタ。
【請求項４】
前記第１本体開口部の開口方向および前記第２本体開口部の開口方向は、前記第１継手および前記第２継手の離間する方向に対し交差している、請求項１ないし請求項３のいずれかに記載の浴槽湯口アダプタ。
【請求項５】
前記本体は、前記取付面に対し取り付けられる第１部位と、前記第１部位につながる第２部位と、を含み、
前記第１部位は、前記取付面に対向する壁部を含み、
前記第２部位は、前記第１本体開口部を構成しており、
前記第２部位は、前記壁部につながる基端部を含み、前記基端部は、前記取付面に対して傾斜する方向に、前記壁部から延びている、請求項１ないし請求項４のいずれかに記載の浴槽湯口アダプタ。